(57)【要約】      （修正有）【課題】人差し指がペン先端部に近づきすぎることを回避可能であり、且つ人差し指が正確に湾曲されてペンに対する力加えが容易になり、ペンを握る姿勢も正確な姿勢に矯正される握り姿勢矯正用ペンを提供する。【解決手段】親指の押付ける箇所では親指位置決め点１１を設け、中指の押付ける箇所では中指位置決め点１２を設ける。さらに人差し指の押付ける箇所では、円弧な凹み形状を呈し人差し指を快適に押付け可能な力加え板１３を設けて、該握り姿勢矯正用ペン１０を構成する。【選択図】図２
0003151079.tif 000002
【実用新案登録請求の範囲】
【請求項１】
親指の押付ける箇所では親指位置決め点が設けられており、中指の押付ける箇所では中指位置決め点が設けられている握り姿勢矯正用ペンにおいて、
人差し指の押付ける箇所では、円弧な凹み形状を呈し人差し指を快適に押付け可能な力加え板が設けられていることを特徴とする、握り姿勢矯正用ペン。
【請求項２】
管体と、前記管体に挿通されているペン本体と、を含み、前記管体には、円弧な凹み形状を呈し人差し指を快適に押付け可能な力加え板が設けられていることを特徴とする、請求項１に記載の握り姿勢矯正用ペン。
【請求項３】
前記管体が位置決め具とされ、前記位置決め具には、円弧な凹み形状を呈し人差し指を快適に押付け可能な力加え板が設けられていることを特徴とする、請求項２に記載の握り姿勢矯正用ペン。
【考案の詳細な説明】
【技術分野】
【０００１】
本考案は、握り姿勢矯正用ペンに係り、特に、力加え板によって人差し指を位置決めることにより、人差し指がペン先端部に近づきすぎることを回避可能であり、且つ人差し指が正確に湾曲されてペンに対する力加えが容易になり、ペンを握る姿勢も正確な姿勢に矯正される握り姿勢矯正用ペンに関するものである。
【背景技術】
【０００２】
ペンを握っている際に、正確な握り姿勢をとれば、ペンに対する力加えが容易になる。ユーザは、親指と中指と人差し指との姿勢に注意するだけであり、力加えの容易さが見落とされることが一般である。一般のユーザは、図５Ａ及び図５Ｂに示すように、間違った握り姿勢によってペンを握り、すなわち、中指をペンに押付けると、親指は、ペンの先端部に近づきすぎ、且つ人差し指を強く押付け、そうすると、親指が持続的に力を加えるので、親指は疲れ易く、且つ親指の関節が外部に突出するように湾曲するので、ユーザは、ペンの先端部を直視することができなく、書き姿勢が間違ったようになる。親指と人差し指の間の部分によってペンを挟んでいるときに、中指が強く押付けられ、このとき、親指と中指と人差し指との運動が拘束され、小さい範囲だけ運動可能であり、長時間にこのような姿勢でペンを握ると、各指が変形するようになり、中指の末端にある関節も痛くなる。小学校に入学する前の児童は、指の筋肉が成熟していないので、書き動作を上手く制御するために、親指及び人差し指がペンの先端部に近づきすぎ、ひいてはペンの先端部を直視することができなく、書き姿勢が間違ったようになり、そうすると、児童の首、肩及び脊椎の成長が不良になり、書き動作も困難になる。
【０００３】
もう一つの間違ったペン握り姿勢は、書いている際に、親指と人差し指がペンを握りながら文字などを書く、しかし、このようなペン握り姿勢によれば、書きが遅くなり、ペンの先端部の運動範囲が小さくなる。このようなペン握り姿勢は人間工学に合わないので、ユーザは、腕が疲れ易く、書き姿勢が間違ったようになる。
【０００４】
すなわち、これらの間違ったペン握り姿勢によれば、ユーザは、腕が疲れ易く、書き姿勢が間違ったようになり、各指が変形し易く、中指の末端にある関節も痛くなり、そして小学校に入学する前の児童は、首、肩及び脊椎の成長が不良になり、書き動作も困難になる。
【考案の開示】
【考案が解決しようとする課題】
【０００５】
本考案の主な目的は、各指が快適に運動して文字などを書くことができ、腕が楽になり、ペンを握る姿勢が正確になり、ペンに対する力加えが容易になる握り姿勢矯正用ペンを提供することにある。
【０００６】
本考案の次の目的は、ペンの先端部の運動可能範囲が広くなり、ユーザは、腕が疲れ難く、書き動作が楽になる握り姿勢矯正用ペンを提供することにある。
【課題を解決するための手段】
【０００７】
本考案の請求項１に記載の握り姿勢矯正用ペンによると、親指の押付ける箇所では親指位置決め点が設けられており、中指の押付ける箇所では中指位置決め点が設けられている握り姿勢矯正用ペンにおいて、人差し指の押付ける箇所では、円弧な凹み形状を呈し人差し指を快適に押付け可能な力加え板が設けられていることを特徴とする握り姿勢矯正用ペンである。
【０００８】
本考案の請求項２に記載の握り姿勢矯正用ペンによると、管体と、前記管体に挿通されているペン本体と、を含み、前記管体には、円弧な凹み形状を呈し人差し指を快適に押付け可能な力加え板が設けられている。
【０００９】
本考案の請求項３に記載の握り姿勢矯正用ペンによると、前記管体が位置決め具とされ、前記位置決め具には、円弧な凹み形状を呈し人差し指を快適に押付け可能な力加え板が設けられている。
【考案の効果】
【００１０】
本考案の握り姿勢矯正用ペンによれば、次のような効果がある。
（１）各指が快適に運動して文字などが書くことができ、腕が楽になり、ペンを握る姿勢が正確になり、ペンに対する力加えが容易になる。
【００１１】
（２）ペンの先端部の運動可能範囲が広くなり、ユーザは、腕が疲れ難く、書き動作が楽になる。
【考案を実施するための最良の形態】
【００１２】
以下、本考案の実施の形態を図面に基づいて説明する。
まず、図１及び図２を参照する。本考案に係る握り姿勢矯正用ペン１０は、親指の押付ける箇所では親指位置決め点１１が設けられており、中指の押付ける箇所では中指位置決め点１２が設けられており、人差し指の押付ける箇所では、円弧な凹み形状を呈し人差し指を快適に押付け可能な力加え板１３が設けられており、これにより、人差し指が正確に湾曲され、ペンに対する力加えの方式が正確になり、ペンの先端部の運動可能範囲が広くなり、ユーザは、腕が疲れ難く、書き動作が楽になる。
【００１３】
次に、図３を参照する。本考案に係る握り姿勢矯正用ペン１０は、管体２０と、前記管体２０に挿通されているペン本体２１と、を含み、前記管体２０には、円弧な凹み形状を呈し人差し指を快適に押付け可能な力加え板１３が設けられており、これにより、人差し指がペン先端部に近づきすぎることを回避可能であり、且つ人差し指が正確に湾曲されてペンに対する力加えが容易になり、ペンを握る姿勢も正確な姿勢に矯正される。
【００１４】
また、図４を参照する。前記管体２０が位置決め具３０とされ、前記位置決め具３０には、円弧な凹み形状を呈し人差し指を快適に押付け可能な力加え板１３が設けられており、これにより、人差し指がペン先端部に近づきすぎることを回避可能であり、且つ人差し指が正確に湾曲されてペンに対する力加えが容易になり、ペンを握る姿勢も正確な姿勢に矯正される。
【００１５】
次に、図１及び図２を参照しながら本考案に係る握り姿勢矯正用ペン１０の使用状態を説明する。まず、親指位置決め点１１に親指を押付けて、中指位置決め点１２に中指を押付けて、力加え板１３に人差し指を押付けて、握り姿勢矯正用ペン１０に人差し指の三番目の関節を押付け、このとき、人差し指がペン先端部に近づきすぎることを回避可能であり、且つ人差し指の高さが親指の高さよりも低いので、ユーザは、ペンに対する力加えが容易になり、ペンを握る姿勢も正確な姿勢に矯正される。
【００１６】
また、力加え板１３は円弧な凹み形状を呈し人差し指を快適に押付け可能であるので、人差し指が正確に湾曲され、ペンに対する力加えの方式が正確になり、ユーザは、ペンの先端部を直視することができるようになり、書き姿勢が正確な姿勢に矯正され、腕が疲れ難く、書き動作が楽になる。
【００１７】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１８】
【図１】本考案に係る握り姿勢矯正用ペンの使用状態を示す概略図
【図２】本考案に係る握り姿勢矯正用ペンの斜視図
【図３】本考案に係る握り姿勢矯正用ペンが管体とペン本体を有する実施例の概略図
【図４】本考案に係る握り姿勢矯正用ペンの管体が位置決め具とされる状態の概略図
【図５Ａ】従来のペンを握る姿勢を示す概略図
【図５Ｂ】従来のペンを握る姿勢を示す概略図
【符号の説明】
【００１９】
１０  握り姿勢矯正用ペン
１１  親指位置決め点
１２  中指位置決め点
１３  力加え板
２０  管体
２１  ペン本体
３０  位置決め具
【図１】
0003151079.tif 000003
【図２】
0003151079.tif 000004
【図３】
0003151079.tif 000005
【図４】
0003151079.tif 000006
【図５Ａ】
0003151079.tif 000007
【図５Ｂ】
0003151079.tif 000008